(57)【特許請求の範囲】
【請求項１】
環状枠に複数の脚枠を設けた台枠を形成し、前記環状枠の枠面にシートを設置し、該シートの円周を環状枠に沿って折り返して円周を搾り緊締すると共に裏面で稍々幅広のゴムベルトで十字状に掛け渡して着脱自在に張設することにより構成したことを特徴とする愛玩動物用ベッド。
【発明の詳細な説明】
【０００１】
【発明が属する技術分野】
本発明は、愛玩動物、特に屋内で飼われている犬や猫のような愛玩動物用として使用する愛玩動物用ベッドに関するものである。
【０００２】
【従来の技術】
近年、マンションのような建物では、犬や猫のような愛玩動物は、人間と一緒に室内で飼われるようになっている。
また、人間の家族環境が小家族化するに連れて、或いは、経済の高度成長によって精神的な抑圧が高まる社会環境になり、人々が犬や猫のような愛玩動物に心の癒しを求めるようになり、愛玩動物が人間の友として、人間と対等に扱われ、そして、人間と同じ部屋に同居するようにして飼われるようになった。
【０００３】
このような室内で飼われる状況下での愛玩動物の棲み場所は、有り合わせの背の低い箱のような容器類の中に布切れとか小さな布団のようなものを敷き詰めたものが部屋の隅の床面に直に据えられて、室内での愛玩動物の居場所として定めているのが一般的な飼い方になっている。
【０００４】
【発明が解決しようとする課題】
しかしながら、室内で飼う愛玩動物に用意されたこのような棲み場所は、周辺に不潔感が漂うのが否めないし、また、室内装飾との調和を損なうものでもあった。
【０００５】
本発明は上記の点に鑑みてなされたものであって、その目的とするところは、室内での動物の棲み場所としてハイカラであり、人間と同居するのに相応しい居場所として、また、部屋のインテリアル家具の延長として調和のとれた室内装飾品となり、更には、動物自身の利用に便利で、お気に入りのものになり得る愛玩動物用ベッドを提供することにある。
【０００６】
【課題を解決するための手段】
上記目的を達成するために、本発明に係る愛玩用動物のベッドは、環状枠に複数の脚枠を設けた台枠を形成し、前記環状枠の枠面にシートを設置し、該シートの円周を環状枠に沿って折り返して円周を搾り緊締すると共に裏面で稍々幅広のゴムバンドで十字状に掛け渡して着脱自在に張設してなる。
【０００７】
前記脚枠は、所定間隔を置いて起立する２本の縦枠部の各上端を平行するようにほぼ直角に曲折したＵ字状を呈する上部の受枠部と、前記２本の縦枠部の各下端を平行させて前記受枠部と同じ方向へほぼ直角に曲折したＵ字状を呈する下部の接地枠部を有して全体を一連的且つ一体的に曲折形成し、４組の脚枠を定間隔を置いて、各受枠部の先端で環状枠に固着設置して４組の脚枠の縦枠部の合計数で環状枠の枠面の中心軸と同心の支柱をなすようにすると共に接地枠部を放射方向へ向けて設置することにより台枠を形成するのが好ましい。
【０００８】
前記シートは、台枠の環状枠より大きい直径に裁断すると共に円周に紐通しを設けて該紐通しに紐又はゴムひも等の紐類を挿着し、紐通しを環状枠の裏側へ折り返して紐類で窄り緊締自在にしてシート面に適宜の緊張を備えさせて張設できるようにするのが好ましい。
【０００９】
また、シートの縁部の十字位置にアイレットを設けて形成し、該シートを環状枠に設置した後に、ゴムベルトのフックを前記アイレットを介してシートの裏面で掛け渡してシート面にクッション機能を備えさせて張設出来るようにするのが好ましい。
【００１０】
【発明の実施の形態】
本発明のベッド本体Ｂは、環状枠１に該環状枠１の枠面が水平面となるように複数の脚枠２を設けた台枠３を形成し、前記環状枠１の枠面にシート４を設置し、該シート４の円周を環状枠１に沿って折り返して裏面で稍々幅広のゴムベルト５で十字状に掛け渡して着脱自在に張設することにより構成する。
【００１１】
前記脚枠２は、所定間隔を置いて起立する２本の縦枠部６ａ，６ｂの各上端を平行するようにほぼ直角に曲折して互いの先端同士で連結してＵ字状を呈する上部の受枠部７を有すると共に前記２本の縦枠部６ａ，６ｂの各下端を平行させて、前記受枠部７と同じ方向へほぼ直角に曲折して互いの先端同士で連結してＵ字状を呈する下部の接地枠部８を有して全体を一連的且つ一体的に曲折形成する。
【００１２】
前記台枠３は、４本の脚枠２を定間隔を置いて、各受枠部７の先端を環状枠１に固着設置して複数の脚枠２の縦枠部６ａ，６ｂの合計数で環状枠１の枠面の中心軸と同心の支柱をなすようにすると共に接地枠部８が放射方向へ向けられて設置する。
また、前記環状枠１に設置される4本の脚枠2同士の間隔ｄ１は、脚枠２の2本の縦枠部６ａと６ｂとの間隔ｄ２のほぼ１／２の間隔に設置することにより、動物の体重が台枠３の縁部に偏って掛けられても傾いたり、反転したりすることなく荷重を受け止めて、安定性を確保する
【００１３】
更に、前記脚枠2は、接地枠部８の先端が環状枠１の外側へはみ出さないか、或いは僅かにはみ出すか程度の寸法に曲折形成することにより、台枠の占有面積が大きくならないでコンパクトに収められるようにして動物達の乗り降りに際して脚枠４が邪魔とならないようにすると共に、動物達の乗り降りが容易に行えるように脚枠２があまり高くならない程度の適宜高さに形成するのが好ましい。
【００１４】
前記シート４は、台枠３の環状枠1より大きい直径に裁断すると共に、円周に紐通し９を設けて該紐通し9に紐又はゴムひも等の紐類１０を挿着し、紐通し９が環状枠１の裏側へ折り返して紐類１０で通常は環状枠１より小径となるように窄り緊締自在にした開口１１を有して形成する。また、該シート４の開口１１の縁部の十字位置にアイレット１２を設けて形成し、該シート４を環状枠１に設置した後に、両端にフック１３を有する伸縮自在な稍々巾広のゴムベルト５を前記アイレット１２を介してシート４の裏面で掛け渡してシート面にクッション機能を備えさせて張設設置する。
【００１５】
従って、本発明になるベッド本体Ｂは、シート４を環状枠１の上面に設置してシート４の円周を環状枠1に沿って折り返してひも類１０で搾り緊締するとき、4本の脚枠２の縦枠部６ａ，６ｂが受枠部7によって環状枠１の円周より中心側へ引き込み位置しているので、シート４の円周を紐10で搾った際に、シート４の面、即ち環状枠１の枠面のシート面が緊張した状態となり、しかも、ベルト5によってシート面が緩むことのない緊張を与えて、適宜のクッション機能を備えて張設される。
また、十字状に交差緊締する2本のベルトは、脚枠２の間の狭い間隔を利用して掛け渡すことにより、シートが環状枠１を移動することが阻止されて安定した状態に固定維持することが出来る。
【００１６】
更に、環状枠を円形に形成することによって方向性がなくなり、動物達がどの方向からも乗り降りでき、しかも、どの方向へ向いて座ったり、寝たりすることが自由に行えるので、動物達にとっても使い勝手が良く、心地の良いものとなり得る。
【００１７】
前記台枠３は、アルミパイプにより形成され、表面に参加防止のアルマイト加工を施して、アルミの美しい地肌を利用した軽量で強靭であり、しかもインテリア家具として相応しい形状を備え、室内の掃除の際の簡単な移動が楽に行える。コンパクトで場所を取らないで提供でき、シートの交換も容易簡便であるから、洗濯も苦にならずに気軽に行えるので、動物達にとっても、また、室内を清潔な環境に維持することが容易である。
【００１８】
【発明の効果】
室内での動物の棲み場所としてハイカラであり、人間と同居するのに相応しい居場所として、また、部屋のインテリアル家具の延長として調和のとれた室内装飾品となり、しかも、軽量、堅牢である上に安定性の高い構造物であり、シートが着脱自在な構造になるので清潔な状態を容易に維持でき、更に、シート面は適宜緊張を備えて張設されると共にシートが台枠の環状枠をヅレ動くようなこともなく固定保持できるので、動物自身の利用に便利で、お気に入りのものになり得る。それ故に、室内で愛玩動物を飼うのに相応しい動物用のベッドを提供する等の多くの効果を奏する。
【図面の簡単な説明】
【図１】本発明のベッドの斜視図である。
【図２】本発明のベッドのシートを取り外した状態の台枠を示す斜視図である。
【図３】本発明のベッドの台枠の正面図である。
【図４】本発明のベッドの台枠の平面図である。
【図５】本発明の台枠にシートを設置して示すベッドの裏面図である。
【図６】本発明のベッドのシートを一部切欠して示す斜視図である。
【図７】本発明のベッドのシートの取付に使用するゴムバンドの斜視図である。
【符号の説明】
１    環状枠
２    脚枠
３    台枠
４    シート
５    ゴムベルト
６ａ，６ｂ    縦枠部
７    受枠部
８    接地枠部
９    紐通し
１０  ひも類
１１  開口
１２  アイレット
１３  フック
【図１】
0004174942.tif 000002
【図２】
0004174942.tif 000003
【図３】
0004174942.tif 000004
【図４】
0004174942.tif 000005
【図５】
0004174942.tif 000006
【図６】
0004174942.tif 000007
【図７】
0004174942.tif 000008